(57)【要約】  本出願に提示の教示は、マルチキャリア上りリンク信号に必要される電力バックオフを移動端末が決定するための、軽減された計算複雑度及び軽減されたメモリ要求条件の少なくとも何れかを提供する。特に、移動端末は、その電力ヘッドルームが所定の電力ヘッドルーム閾値を下回ることで、当該移動端末がヘッドルームを制限されていることを示すか否かを判定する。下回る場合、移動端末は、マルチキャリア上りリンク信号に含まれる各キャリアに割り当てられる電力を、所定の量子化ポリシーに従って量子化する。そうすることで、移動端末は、マルチキャリア上りリンク信号について選択されうる、取りうる設定を低減する。従って、一実施形態において、移動端末は、当該移動端末がヘッドルームを制限されている場合に選択されうる設定のみについて、所要バックオフをルックアップテーブルに格納する。これにより、マルチキャリア上りリンク信号の取りうる全ての設定について所要バックオフを格納するのと比較して、移動端末のメモリ要求条件を軽減する。
2012521150.tif 000002
【特許請求の範囲】
【請求項１】
個別の周波数領域を占有する、別々に変調された２つ以上のキャリアの集合であるマルチキャリア上りリンク信号を、基地局に送信する移動端末における方法であって、
前記移動端末の電力ヘッドルームが所定の電力ヘッドルーム閾値を下回ることで、当該移動端末がヘッドルームを制限されていることを示すか否かを判定するステップと、
前記移動端末がヘッドルームを制限されている場合に、前記マルチキャリア上りリンク信号に含まれる各キャリアに割り当てられる電力を、所定の量子化ポリシーに従って量子化するステップと
を含むことを特徴とする方法。
【請求項２】
前記移動端末がヘッドルームを制限されている場合に、各キャリアに割り当てられる前記量子化された電力に基づいて、各キャリアについての設定を選択するステップをさらに含むことを特徴とする請求項１に記載の方法。
【請求項３】
前記所定の電力ヘッドルーム閾値と前記所定の量子化ポリシーとのうちの少なくとも１つについての指標を、ブロードキャストチャネルを介して前記基地局から受信するステップをさらに含むことを特徴とする請求項１又は２に記載の方法。
【請求項４】
前記所定の電力ヘッドルーム閾値と前記所定の量子化ポリシーとのうちの少なくとも１つについての指標を、個別チャネルを介して前記基地局から受信するステップをさらに含むことを特徴とする請求項１又は２に記載の方法。
【請求項５】
前記移動端末が複数の基地局間におけるハンドオフを行っているか否かに基づいて、複数の量子化ポリシーのうちの１つを、前記所定の量子化ポリシーとして特定するステップをさらに含むことを特徴とする請求項１乃至４の何れか１項に記載の方法。
【請求項６】
前記２つ以上のキャリアのチャネル状況に関連付けられた、１つ以上の所定の優先基準に基づいて、各キャリアに対して電力を割り当てるステップをさらに含むことを特徴とする請求項１乃至５の何れか１項に記載の方法。
【請求項７】
前記基地局から受信される無線リンク制御メッセージに含まれる情報エレメントを介して、前記所定の優先基準についての指標を受信するステップをさらに含むことを特徴とする請求項６に記載の方法。
【請求項８】
前記マルチキャリア上りリンク信号に含まれる各キャリアに割り当てられる電力を、所定の量子化ポリシーに従って量子化する前記ステップは、
異なる複数のキャリアに割り当てられる電力の差分を限定するステップを含むことを特徴とする請求項１乃至７の何れか１項に記載の方法。
【請求項９】
異なる複数のキャリアに割り当てられる電力の差分を限定する前記ステップは、
最大の電力が割り当てられるキャリアについて、当該キャリアに割り当てられる電力と、別のキャリアに割り当てられる電力との差分が、許容される最大の差分を上回る場合に、当該キャリアに割り当てられる電力を低減するステップを含むことを特徴とする請求項８に記載の方法。
【請求項１０】
前記最大の電力が割り当てられるキャリアに割り当てる当該電力を低減する前記ステップは、
前記最大の電力が割り当てられるキャリアの制御チャネルに割り当てられる電力を、当該キャリアのトラヒックチャネルについて許容される電力利得係数が所定の許可閾値を下回る場合に低減するステップを含むことを特徴とする請求項９に記載の方法。
【請求項１１】
前記マルチキャリア上りリンク信号に含まれる各キャリアに割り当てられる電力を、所定の量子化ポリシーに従って量子化する前記ステップは、
各キャリアの１つ以上のチャネルについて許容される電力利得係数を、前記所定の量子化ポリシーに従って量子化するステップを含むことを特徴とする請求項１乃至７の何れか１項に記載の方法。
【請求項１２】
前記マルチキャリア上りリンク信号に含まれる各キャリアに割り当てられる電力を、所定の量子化ポリシーに従って量子化する前記ステップは、
異なる複数のキャリアの１つ以上のチャネルについて許容される複数の電力利得係数間の比を限定するステップを含むことを特徴とする請求項１乃至７及び１１の何れか１項に記載の方法。
【請求項１３】
個別の周波数領域を占有する、別々に変調された２つ以上のキャリアの集合であるマルチキャリア上りリンク信号を、基地局に送信する１つ以上のアンテナと、１つ以上の処理回路とを備える移動端末であって、
前記１つ以上の処理回路は、
前記移動端末の電力ヘッドルームが所定の電力ヘッドルーム閾値を下回ることで、当該移動端末がヘッドルームを制限されていることを示すか否かを判定し、
前記移動端末がヘッドルームを制限されている場合に、前記マルチキャリア上りリンク信号に含まれる各キャリアに割り当てられる電力を、所定の量子化ポリシーに従って量子化する
ことを特徴とする移動端末。
【請求項１４】
前記１つ以上の処理回路は、さらに、
前記移動端末がヘッドルームを制限されている場合に、各キャリアに割り当てられる前記量子化された電力に基づいて、各キャリアについての設定を選択することを特徴とする請求項１３に記載の移動端末。
【請求項１５】
前記１つ以上の処理回路は、さらに、
前記所定の電力ヘッドルーム閾値と前記所定の量子化ポリシーとのうちの少なくとも１つについての指標を、ブロードキャストチャネルを介して前記基地局から受信することを特徴とする請求項１３又は１４に記載の移動端末。
【請求項１６】
前記１つ以上の処理回路は、さらに、
前記所定の電力ヘッドルーム閾値と前記所定の量子化ポリシーとのうちの少なくとも１つについての指標を、個別チャネルを介して前記基地局から受信することを特徴とする請求項１３又は１４に記載の移動端末。
【請求項１７】
前記１つ以上の処理回路は、さらに、
前記移動端末が複数の基地局間におけるハンドオフを行っているか否かに基づいて、複数の量子化ポリシーのうちの１つを、前記所定の量子化ポリシーとして特定することを特徴とする請求項１３乃至１６の何れか１項に記載の移動端末。
【請求項１８】
前記１つ以上の処理回路は、さらに、
前記２つ以上のキャリアのチャネル状況に関連付けられた、１つ以上の所定の優先基準に基づいて、各キャリアに対して電力を割り当てることを特徴とする請求項１３乃至１７の何れか１項に記載の移動端末。
【請求項１９】
前記１つ以上の処理回路は、さらに、
前記基地局から受信される無線リンク制御メッセージに含まれる情報エレメントを介して、前記所定の優先基準についての指標を受信することを特徴とする請求項１８に記載の移動端末。
【請求項２０】
前記１つ以上の処理回路は、
異なる複数のキャリアに割り当てられる電力の差分を限定することによって、前記マルチキャリア上りリンク信号に含まれる各キャリアに割り当てられる電力を、所定の量子化ポリシーに従って量子化することを特徴とする請求項１３乃至１９の何れか１項に記載の移動端末。
【請求項２１】
前記１つ以上の処理回路は、
最大の電力が割り当てられるキャリアについて、当該キャリアに割り当てられる電力と、別のキャリアに割り当てられている電力との差分が、許容される最大の差分を上回る場合に、当該キャリアに割り当てられる電力を低減することによって、異なる複数のキャリアに割り当てられる電力の差分を限定することを特徴とする請求項２０に記載の移動端末。
【請求項２２】
前記１つ以上の処理回路は、
前記最大の電力が割り当てられるキャリアの制御チャネルに割り当てられる電力を、当該キャリアのトラヒックチャネルについて許容される電力利得係数が所定の許可閾値を下回る場合に低減することによって、前記最大の電力が割り当てられるキャリアに割り当てる当該電力を低減することを特徴とする請求項２１に記載の移動端末。
【請求項２３】
前記１つ以上の処理回路は、
各キャリアの１つ以上のチャネルについて許容される電力利得係数を、前記所定の量子化ポリシーに従って量子化することによって、前記マルチキャリア上りリンク信号に含まれる各キャリアに割り当てられる電力を、所定の量子化ポリシーに従って量子化することを特徴とする請求項１３乃至１９の何れか１項に記載の移動端末。
【請求項２４】
前記１つ以上の処理回路は、
異なる複数のキャリアの１つ以上のチャネルについて許容される複数の電力利得係数間の比を限定することによって、前記マルチキャリア上りリンク信号に含まれる各キャリアに割り当てられる電力を、所定の量子化ポリシーに従って量子化することを特徴とする請求項１３乃至１９及び２３の何れか１項に記載の移動端末。
【請求項２５】
個別の周波数領域を占有する、別々に変調された２つ以上のキャリアの集合であるマルチキャリア上りリンク信号を、移動端末から受信する基地局における方法であって、
前記マルチキャリア上りリンク信号に含まれる各キャリアに割り当てられる電力を量子化するための所定の量子化ポリシーを、前記移動端末に伝達するステップ
を含むことを特徴とする方法。
【請求項２６】
前記移動端末の電力ヘッドルームが所定の電力ヘッドルーム閾値を下回る場合に、前記マルチキャリア上りリンク信号に含まれる各キャリアに割り当てられる電力を前記所定の量子化ポリシーに従って量子化するための、前記所定の電力ヘッドルーム閾値を、前記移動端末に伝達するステップをさらに含むことを特徴とする請求項２５に記載の方法。
【請求項２７】
前記２つ以上のキャリアのチャネル状況に関連付けられた１つ以上の所定の優先基準に基づいて各キャリアに対して電力を割り当てるための、当該１つ以上の所定の優先基準を、前記移動端末に伝達するステップをさらに含むことを特徴とする請求項２５又は２６に記載の方法。
【請求項２８】
個別の周波数領域を占有する、別々に変調された２つ以上のキャリアの集合であるマルチキャリア上りリンク信号を、移動端末から受信する１つ以上のアンテナと、１つ以上の処理回路とを備える基地局であって、
前記１つ以上の処理回路は、
前記マルチキャリア上りリンク信号に含まれる各キャリアに割り当てられる電力を量子化するための所定の量子化ポリシーを、前記移動端末に伝達することを特徴とする基地局。
【請求項２９】
前記１つ以上の処理回路は、さらに、
前記移動端末の電力ヘッドルームが所定の電力ヘッドルーム閾値を下回る場合に、前記マルチキャリア上りリンク信号に含まれる各キャリアに割り当てられる電力を前記所定の量子化ポリシーに従って量子化するための、前記所定の電力ヘッドルーム閾値を、前記移動端末に伝達することを特徴とする請求項２８に記載の基地局。
【請求項３０】
前記１つ以上の処理回路は、さらに、
前記２つ以上のキャリアのチャネル状況に関連付けられた１つ以上の所定の優先基準に基づいて各キャリアに対して電力を割り当てるための、当該１つ以上の所定の優先基準を、前記移動端末に伝達することを特徴とする請求項２８又は２９に記載の基地局。
【発明の詳細な説明】
【技術分野】
【０００１】
本発明は、全体として、マルチキャリア上りリンク送信に関するものであり、具体的には、マルチキャリア上りリンク送信のための電力バックオフについての計算複雑度及びメモリ要求条件の少なくとも何れかの軽減に関するものである。
【背景技術】
【０００２】
無線通信の送信機は、実際には、送信を意図した周波数領域以外の周波数領域においてもエネルギーを放出する。この、近くの周波数領域へのエネルギーの放出、即ち漏れは、一般的に、送信機の電力増幅器の動作点に関連する。漏れ出るエネルギーのレベルは、例えば、電力増幅器が非線形領域（より高い電力レベル）において動作する際に、相互変調歪みに起因して増加する。これを避けるために、送信機の回路を、電力増幅器の線形性を向上させるように設計することは可能であろう。しかし、これにより、大幅に低減した効率を代償とすることになり、その結果、バッテリー時間を大幅に低減することになる。従って、漏れ出るエネルギーの量に対して予め定められた制限を達成するための効果的な方法は、意図した送信チャネル上での最大送信電力を、その公称値から低減させるか、又は「バックオフさせる」ことを必要とする。
【０００３】
増幅器の効率も考慮しつつ、最大送信電力がバックオフされなければならない量は、送信される波形の特性（例えば、変調方式、拡散符号、拡散率、利得係数、又は、伝送用に選択された１つ以上のトランスポート・フォーマットにおいて特定される波形についての類似の設定）に依存する。いくつかの信号については、これらの特性は、例えば非特許文献１に記載のように、キュービック・メトリック（ＣＭ：Cubic Metric）又はピーク電力対平均電力比（ＰＡＰＲ：Peak-to-Average Power Ratio）の観点で良好に定量化されうる。しかし、このような量は、素早く計算する処理リソースの観点で高コストとなる可能性があり、送信される波形の特性における動的な変化に応じた所要バックオフの推定に、特に問題を生じさせる。
【０００４】
シングルキャリア伝送についてこの問題を解決する種々の既知のアプローチを用いることで、ＰＡＰＲ又はＣＭは、送信される波形の全ての取りうる設定、及びルックアップテーブルに格納された対応する所要バックオフに対して、予め計算されうる。しかし、このアプローチは、取りうる設定の数が増加するにつれて、必要となるルックアップテーブルのサイズに起因して、ますます非実用的となることが判明している。マルチキャリア伝送においては、例えば、それぞれ異なる周波数領域を占有する２つ以上の個別のキャリアが同時に送信される。例えば、非特許文献２に含まれて概説されているマルチキャリア動作を参照されたい。各キャリアの設定が、他のキャリアの設定から独立して選択される場合、複合した波形についての取りうる設定の数（及び、それにより必要とされるルックアップテーブルのサイズ）は、シングルキャリア伝送よりも桁違いに大きくなりうる。
【先行技術文献】
【非特許文献】
【０００５】
【非特許文献１】3GPP Technical specification TS25.101, Release 8.
【非特許文献２】3GPP Rel.9, “Dual-Cell HSUPA,” 3GPP Work Item Description, RP-090014.
【発明の概要】
【０００６】
本明細書に提示の教示は、マルチキャリア上りリンク送信に必要される電力バックオフを移動端末が決定するための、軽減された計算複雑度及び軽減されたメモリ要求条件の少なくとも何れかを提供する。本教示は、移動端末がヘッドルーム（headroom）を制限されている場合に各キャリアに対して割り当てられる電力を量子化することによって、バックオフが必要とされる際のマルチキャリア上りリンク送信についての取りうる設定の数を限定する。本発明において使用されているように、ヘッドルーム、又は電力ヘッドルームは、移動端末においてデータ・トラヒックについて利用可能な送信電力の測度であり、典型的には、割り当てられる最大の電力と、必要な制御シグナリングに対して現在割り当てられている電力との差分である。
【０００７】
具体的には、本明細書で教示の移動端末は、マルチキャリア上りリンク信号を基地局に送信する１つ以上のアンテナを含む。移動端末は、さらに、当該移動端末の電力ヘッドルームが所定の電力ヘッドルーム閾値を下回ることで、当該移動端末がヘッドルームを制限されていることを示すか否かを判定する、１つ以上の処理回路を含む。移動端末がヘッドルームを制限されている場合に、当該１つ以上の処理回路は、マルチキャリア上りリンク信号に含まれる各キャリアに割り当てられる電力を、所定の量子化ポリシーに従って量子化する。所定の量子化ポリシーに従って量子化されることで、各キャリアに割り当てられる電力は、当該移動端末がヘッドルームを制限されている場合に、当該キャリアについての取りうる設定のうちの一部のみが許容されるように、特定の値のみを有しうる。当該量子化ポリシーは、各キャリアの信号に対して個別に限定を与えうるか、又は、２つ以上のキャリアの信号の組み合わせに対して限定を与えうる。
【０００８】
このため、一実施形態において、移動端末は、当該移動端末がヘッドルームを制限されている場合にマルチキャリア上りリンク信号用に選択されうる設定の組み合わせのみについて、所要バックオフをルックアップテーブルに格納する。そうすることで、移動端末のメモリ要求条件は、複数のキャリアのついての設定の、取りうる全ての組み合わせについて所要バックオフを格納するのと比較して軽減される。
【０００９】
いくつかの実施形態における基地局は、所定の量子化ポリシー、所定の電力ヘッドルーム閾値、又はそれらの両方についての指標を移動端末に送信する。基地局は、そのような指標を、個別チャネル又はブロードキャストチャネルを介して移動端末に送信しうる。さらに、異なる基地局は、例えば、各基地局における無線環境に依存した異なる量子化ポリシーを設定されうる。従って、移動端末が異なる複数の基地局間で移動する際の、一貫性のない挙動を軽減するために、移動端末は、デフォルトの量子化ポリシーを予め設定されうるか、又はデフォルトの量子化ポリシーについての指標が送られうる。
【００１０】
当然ながら、本発明は、上記の特徴及び利点に限定されることはない。実際に、当業者は、以下の詳細な説明を読むことによって、及び添付の図面を見ることによって、さらなる特徴及び利点を理解するであろう。
【図面の簡単な説明】
【００１１】
【図１】本発明の一実施形態に係る、マルチキャリア上りリンク信号を基地局へ送信する移動端末を示すブロック図である。
【図２Ａ】、
【図２Ｂ】、
【図２Ｃ】本発明の種々の実施形態に係る、所定の量子化ポリシーの例を示す図である。
【図３】本発明の別の実施形態に係る、所定の量子化ポリシーの例を示す図である。
【図４】本発明の一実施形態に係る、マルチキャリア上りリンク信号を受信する基地局によって実行される方法を示すロジック・フロー図である。
【図５】本発明の一実施形態に係る、マルチキャリア上りリンク信号を送信する移動端末によって実行される方法を示すロジック・フロー図である。
【発明を実施するための形態】
【００１２】
図１は、マルチキャリア上りリンク信号２０を基地局３０へ送信する移動端末１０の一実施形態を示している。移動端末１０は、１つ以上の処理回路１１と、送信機フロントエンド１２と、受信機フロントエンド１３と、１つ以上のアンテナ１４とを含む。
【００１３】
１つ以上の処理回路１１は、例示を目的として、信号生成回路１５と、バックオフ及び電力調整回路１６と、比較回路１７と、量子化回路１８と、電力割当回路１９とを含むものとして図１に示されている。信号生成回路１５は、Ｎ≧２のＮ個のキャリアのそれぞれについて、設定ｃｏｎｆｉｇ1...ｃｏｎｆｉｇNを選択する。キャリアの当該設定は、例えば、当該キャリアで送信される物理チャネルの数、当該物理チャネルの利得係数、当該物理チャネルの拡散率及び拡散符号等を含みうる。いくつかの実施形態において、例えば、キャリアの設定の選択は、当該キャリアの設定が、当該キャリアで１つ以上のトランスポート・チャネルを送信するために選択される、複数のトランスポート・フォーマットの組み合わせを含むように、当該キャリアによって搬送される各トランスポート・チャネル用のトランスポート・フォーマット（ＴＦ：transport format）を選択することによって行われる。
【００１４】
いずれにしても、信号生成回路１５は、概して、移動端末１０によって各キャリアに対して割り当てられた電力Ｐ'1...Ｐ'Nに基づいて、各キャリア用の設定config1...configNを選択する。具体的には、信号生成回路１５は、（例えば、基地局３０によって規定される）当該キャリアについての取りうる複数の設定から成るセットに含まれる、各設定を用いてキャリアを送信するために必要となる電力を推定する。その後、信号生成回路１５は、各キャリアについての設定を、取りうる複数の設定から成る当該セットに含まれる、当該キャリアに対して割り当てられた電力Ｐ'1...Ｐ'Nの送信をサポートする設定として選択する。各キャリアについての設定を選択すると、信号生成回路１５は、選択した設定に従って、データ信号ｄ1...ｄNをＮ個のキャリアに対して拡散及び変調する。当該Ｎ個のキャリアは、異なる周波数領域を占有するように変調される。その後、信号生成回路１５は、その結果として得られる変調された複数のキャリアｘ1...ｘNを、送信機フロントエンド１２に提供する。
【００１５】
送信機フロントエンド１２は、変調された複数のキャリアｘ1...ｘNを集約及び増幅することで、１つ以上のアンテナ１４を介して基地局３０に送信されるマルチキャリア上りリンク信号２０を形成する。複数のキャリアを集約する際に、送信機フロントエンド１２は、送信電力Ｐ"1...Ｐ"Nに従って、当該複数のキャリアをともに重み付けする。具体的には、移動端末１０が相対的に高い電力ヘッドルーム（ＰＨ：power headroom）を有するように、移動端末１０の公称の最大送信電力に対して相対的に低い電力で送信する場合には、複数のキャリアｘ1...ｘNは、それらに割り当てられた電力（即ち、Ｐ"1...Ｐ"N＝Ｐ'1...Ｐ'N）に従って集約される。しかし、相対的に低いＰＨによって、複数のキャリアｘ1...ｘNに割り当てられた電力Ｐ'1...Ｐ'Nに従った当該複数のキャリアの集約及び増幅を行うことは、可能ではない場合がある。これは、例えば、移動端末がこの全出力電力を供給することが不可能であるか、あるいは許容されていないためであるか、又は、さもなければ、そのようにすることによって、送信機フロントエンド１２が、相互変調歪みに起因して許容不可能なレベルのエネルギーを近くの周波数領域に漏れ出させうるためである可能性がある。従って、バックオフ及び電力調整回路１６は、漏れ出るエネルギーについての許容可能なレベルを移動端末１０が達成するために、マルチキャリア上りリンク信号２０の最大送信電力をバックオフさせるのに必要となる量を決定するとともに、それに応じて（即ち、この場合、Ｐ"1...Ｐ"Nの総和がＰ'1...Ｐ'Nの総和よりも小さくなるように）複数のキャリアに割り当てられた電力Ｐ'1...Ｐ'Nを調整する。
【００１６】
バックオフ及び電力調整回路１６は、複数のキャリア間の複数の設定の組み合わせと当該複数のキャリア間の相対的な電力の差分とに基づいて、所要バックオフを決定する。しかし、特に、本発明の比較回路１７及び量子化回路１８は、バックオフが必要となりうる場合に、各キャリアについて選択されうる、取りうる設定を限定することによって、複数のキャリア間の設定の取りうる組み合わせを限定する。従って、バックオフ及び電力調整回路１６は、複数のキャリア間の設定についての全ての取りうる組み合わせを検討することなく、所要バックオフを決定しうる。
【００１７】
より具体的には、比較回路１７は、移動端末の電力ヘッドルームＰＨと、所定の電力ヘッドルーム閾値ＰＨthとを、入力として受け付ける。移動端末のＰＨがＰＨthを下回る場合、比較回路１７は、移動端末１０がヘッドルームを制限されていること、及び、それ故にバックオフが必要とされうることを示す制御信号Ｃsを、量子化回路１８に送る。それ以外の場合、比較回路１７は、移動端末１０がヘッドルームを制限されていないこと、及び、バックオフは必要ないことを、制御信号Ｃsによって量子化回路１８に対して伝達する。
【００１８】
量子化回路１８は、制御信号Ｃsと、所定の量子化ポリシーＱpcyと、電力割当回路１９によって各キャリアに対して割り当てられる電力Ｐ'1...Ｐ'Nとを、入力として受け付ける。電力割当回路１９は、例えば、基地局３０からの電力制御コマンド、基地局３０からの電力についての絶対グラント又は相対グラントに従って移動端末１０によって維持されるサービンググラント、又は、他の基地局からのオーバロード・インジケータ等に基づいて、電力Ｐ1...ＰNを各キャリアに割り当てうる。いずれにしても、電力割当回路１９によって各キャリアに対して割り当てられる電力Ｐ1...ＰNは、概して、当該キャリアについての取りうる複数の設定から成るセットに含まれる任意の設定が、その選択がＰ1...ＰNに直接的に基づく場合の送信用に選択されうるように、連続的な値の範囲内の、又は、離散的な値から成る相対的に大きなセットのうちの、任意の値を有しうる。
【００１９】
しかし、制御信号Ｃsが、移動端末１０がヘッドルームを制限されていることを量子化回路１８に示す場合、量子化回路１８は、マルチキャリア上りリンク信号２０の各キャリアに対して割り当てられる電力Ｐ1...ＰNを、所定の量子化ポリシーＱpcyに従って量子化する。所定の量子化ポリシーＱpcyに従って量子化されると、各キャリアに割り当てられる電力Ｐ'1...Ｐ'Nは、例えば、複数の離散的な値から成る相対的に小さなセットに含まれる、特定の複数の値のみを有しうる。これにより、当該キャリア用の取りうる複数の設定から成るセットに含まれる、一部の設定のみが、信号生成回路１５によって送信用に選択されうる。
【００２０】
このため、一実施形態において、バックオフ及び電力調整回路１６は、移動端末１０がヘッドルームを制限されている場合に選択されうる設定の組み合わせのみについてのルックアップテーブルに、所要バックオフを格納する。これにより、複数のキャリア用の設定の、取りうる全ての組み合わせについて所要バックオフを格納するのと比較して、移動端末１０のメモリ要求条件を軽減される。所要バックオフを同様に計算する代替の実施形態は、軽減された計算複雑度を必要とする。
【００２１】
逆に、バックオフ及び電力調整回路１６が、マルチキャリア上りリンク信号２０にバックオフを適用する必要がない場合、１つ以上の処理回路１１は、送信用に選択される予定のキャリアについての、取りうる複数の設定から成るセットに含まれる、任意の設定を許容する。特に、制御信号Ｃsが、移動端末１０がヘッドルームを制限されていないことを量子化回路１８に示す場合、量子化回路１８は、マルチキャリア上りリンク信号２０の各キャリアに対して割り当てられる電力Ｐ1...ＰNを量子化しないようにする。この場合、各キャリアに割り当てられる電力Ｐ'1...Ｐ'Nは、任意の値を有したままであってよく（即ち、Ｐ'1...Ｐ'N＝Ｐ1...ＰN）、そのため、各キャリアについての取りうる複数の設定から成るセットにおいて、任意の設定が選択されうる。このことは、複数のキャリア間の設定の全ての組み合わせが可能であることを意味するものの、移動端末１０は、ヘッドルームを制限されていない（即ち、Ｐ"1...Ｐ"N＝Ｐ'1...Ｐ'Nである）ため、バックオフ及び電力調整回路１６は、マルチキャリア上りリンク信号２０に対してバックオフを決定及び適用する必要はない。
【００２２】
図２Ａ及び図２Ｂにおける例を簡単に参照すると、２キャリア・上りリンク信号２０（即ち、Ｎ＝２）のための所定の量子化ポリシーＱpcyは、複数のキャリアに対して許容される複数の電力割当てから成るグリッドとして理解されうる。図２Ａにおいては、例えば、第１のキャリアに割り当てられる電力Ｐ1は、通常、取りうる値の範囲５２Ａ内の任意の値を有しうるとともに、第２のキャリアに割り当てられる電力Ｐ1は、同様に、取りうる値の範囲５４Ａ内の任意の値を有しうる。しかし、所定の量子化ポリシーＱpcyは、各キャリアに割り当てられる電力Ｐ'1, Ｐ'2が有しうる、各キャリアについての取りうる値の範囲５２Ａ、５４Ａにわたる値から成る縮小セット（reduced set）を規定し、その結果、第１及び第２のキャリアに対して許容される電力割当てのグリッド５０Ａがもたらされる。このため、複数のキャリアにわたる所与の電力割当て（Ｐ1, Ｐ2）について、一実施形態における量子化回路１８は、グリッド５０Ａによって特定される、最も近い許容される電力割当て（Ｐ'1, Ｐ'2）に、当該電力割当て（Ｐ1, Ｐ2）を量子化する。
【００２３】
いくつかの実施形態において、量子化回路１８は、１つ以上のキャリアに割り当てられる最大電力を限定する。例えば、図２Ｂに示す実施形態においては、所定の量子化ポリシーＱpcyは、各キャリアに割り当てられた電力Ｐ'1, Ｐ'2についての最大値Ｍａｘ1, Ｍａｘ2を規定する。このような最大値Ｍａｘ1, Ｍａｘ2を規定することによって、所定の量子化ポリシーＱpcyは、各キャリアについての取りうる値の範囲５２Ｂ、５４Ｂの一部のみにわたる値から成る縮小セットを規定し、その結果、第１及び第２のキャリアに対して許容される電力割当てのグリッド５０Ｂがもたらされる。
【００２４】
そうでなければキャリアに割り当てられる最大電力が、グリッド５０Ｂの外部に示されている電力割当て（Ｐ1, Ｐ2）において第１のキャリアに割り当てられる電力Ｐ1の場合のように、当該キャリアについて許容される最大の電力を上回る場合には、一実施形態における量子化回路１８は、当該キャリアに割り当てられる電力を低減する。例えば、図２Ｂの例においては、量子化回路１８は、電力割当て（Ｐ1, Ｐ2）が、グリッド５０Ｂの範囲内で規定された、最も近い許容される電力割当て（Ｐ'1, Ｐ'2）に量子化されうるように、第１のキャリアに割り当てられる電力Ｐ1を低減する。
【００２５】
他の実施形態において、量子化回路１８は、異なる複数のキャリアに割り当てられる電力の差分を限定する。図２Ｃに示す実施形態において、例えば、所定の量子化ポリシーＱpcyは、各キャリアについての取りうる値の範囲５２Ｃ、５４Ｃの一部にわたる値から成る縮小セットを規定し、その結果、第１及び第２のキャリアに対して許容される電力割当てのグリッド５０Ｃがもたらされる。グリッド５０Ｃは、第１のキャリアに割り当てられる電力Ｐ'1と、第２のキャリアに割り当てられる電力Ｐ'2との、許容される最大の差分を、実質的に特定する。
【００２６】
当業者は、異なる複数のキャリアに割り当てられる電力の差分が、それらの量の大きさに関係する任意の測度を使用して限定されうることを、容易に理解するであろう。例えば、いくつかの実施形態においては、キャリアに割り当てられる電力の絶対値に対して対数が適用され、（対数領域における）電力の差分が限定される。他の実施形態においては、キャリアに割り当てられる電力の差分は、電力の絶対値の比を限定することによって、（線形領域において）等価的に限定される。
【００２７】
いずれにしても、そうでなければ第１のキャリアに割り当てられる電力Ｐ'1と、そうでなければ第２のキャリアに割り当てられる電力Ｐ'2との差分が、グリッド５０Ｃの外部に示されている電力割当て（Ｐ1, Ｐ2）のように、許容される最大の差分を上回る場合には、一実施形態における量子化回路１８は、最大の電力が割り当てられているキャリアについて、当該キャリアに割り当てられる電力を低減する。図２Ｃの例においては、例えば、量子化回路１８は、電力割当て（Ｐ1, Ｐ2）が、グリッド５０Ｃの範囲内で規定された、最も近い許容される電力割当て（Ｐ'1, Ｐ'2）に量子化されうるように、第１のキャリアに割り当てられる電力Ｐ1を低減する。
【００２８】
最大の電力が割り当てられるキャリアについて、当該キャリアに割り当てられる電力を低減するために、一実施形態における量子化回路１８は、当該キャリアの特定のトラヒックチャネルに割り当てられる電力を低減する。高速上りリンク・パケット・アクセス（ＨＳＵＰＡ）では、例えば、量子化回路１８は、キャリアのＥ−ＤＣＨ個別物理データチャネル（Ｅ−ＤＰＤＣＨ）に割り当てられる電力を低減しうる。より具体的には、ＨＳＵＰＡでは、電力割当回路１９は、許容される電力利得係数（特にＨＳＵＰＡでは「サービンググラント」とも称される。）に従って、キャリアのＥ−ＤＰＤＣＨに電力を割り当てる。許容される電力利得係数は、キャリアの個別物理制御チャネル（ＤＰＣＣＨ）に対する、当該キャリアの許容されるＥ−ＤＰＤＣＨ電力を特定する。従って、量子化回路１８は、キャリアのＥ−ＤＰＤＣＨに割り当てられる電力を、当該キャリアについて許容される電力利得係数を低減することによって低減しうる。
【００２９】
しかし、トラヒックチャネルにそれほど大きな電力が割り当てられていない場合、当該トラヒックチャネルに割り当てられる電力を低減することによっては、グリッド５０Ｃによって特定される、許容される最大の差分に適合するのに十分なほど、キャリアに割り当てられる総電力を低減しえない。従って、いくつかの実施形態においては、量子化回路１８は、トラヒックチャネルについて許容される電力利得係数が所定の閾値を下回る場合に、キャリアの制御チャネルに割り当てられる電力を低減する。例えば、ＨＳＵＰＡについて上記の例を続けると、量子化回路１８は、Ｅ−ＤＰＤＣＨについて許容される電力利得係数が所定の許可閾値を下回る場合に、キャリアのＤＰＣＣＨに割り当てられる電力を低減しうる。当該キャリアのＤＰＣＣＨに割り当てられる電力を低減することによって、当該キャリアの他のチャネルについて特定された、許容される電力利得係数に比例して、当該キャリアの総電力を、（他のチャネルの許容される電力利得係数が、ＤＰＣＣＨの電力に対する当該他のチャネルの電力を規定するため）実質的に低減する。ＤＰＣＣＨ等の制御チャネルに割り当てられる電力を低減することによって、量子化回路１８は、当該制御チャネルで受信される電力を制御するために基地局３０から送信される電力制御コマンドを、無効化することを必要とされうる。
【００３０】
上記の議論に鑑みて、当業者は、マルチキャリア上りリンク信号２０の各キャリアに割り当てられる電力を量子化するための他の実施形態を理解するであろう。いくつかの実施形態においては、例えば、１つ以上の処理回路１１は、図１及び図２に示したように各キャリアに割り当てられる総電力を量子化する代わりに、又はそれに加えて、各キャリアの１つ以上のチャネルについて許容される電力利得係数を量子化する。各キャリアの１つ以上のチャネルについて許容される電力利得係数を量子化することによって、１つ以上の処理回路１１は、それらのチャネルについて選択されうる設定を限定し、それにより、当該チャネルについて選択されうる設定を全体として間接的に限定する。
【００３１】
図３の例は、２キャリア・ＨＳＰＡ上りリンク信号のための所定の量子化ポリシーＱpcyを、各キャリアのＥ−ＤＰＤＣＨについて許容される電力利得係数βedのグリッド６０として示している。具体的には、第１のキャリアのＥ−ＤＰＤＣＨについて許容される電力利得係数βed,1は、通常、取りうる値の範囲６２内の任意の値を有しうるとともに、第２のキャリアのＥ−ＤＰＤＣＨについて許容される電力利得係数βed,2も同様に、取りうる値の範囲６４内の任意の値を有しうる。しかし、所定の量子化ポリシーＱpcyは、各キャリアの許容される電力利得係数β'ed,1, β'ed,2が有することが可能な値であって、各キャリアについての取りうる値の範囲６２、６４にわたる値の縮小セットを規定し、その結果、第１及び第２のキャリアにわたって許容される電力利得係数のグリッド６０がもたらされる。このため、当該第１及び第２のキャリアにわたって許容される電力利得係数の所与のセット（βed,1, βed,2）について、一実施形態における量子化回路１８は、許容される電力利得係数の当該セット（βed,1, βed,2）を、グリッド６０によって特定される、許容される電力利得係数（β'ed,1, β'ed,2）から成る、最も近い許容セットに量子化する。
【００３２】
当然ながら、複数のキャリアの総電力についての上述した方法と同様にして、量子化回路１８は、キャリアの１つ以上のチャネルについて許容される最大の電力利得係数を同様に限定してもよいし、又は、異なる複数のキャリアの１つ以上のチャネルについて許容される複数の電力利得係数間の比を同様に限定してもよい。従って、図３には示していないものの、量子化回路１８は、複数のキャリアのＥ−ＤＰＤＣＨについて許容される最大のβ'ed,1, β'ed,2を、図２Ｂにおいて複数のキャリアに割り当てられる総電力について上述した方法とほとんど同じようにして限定しうるか、あるいは、各キャリアのＥ−ＤＰＤＣＨについてのβ'ed,1, β'ed,2の比を、図２Ｃにおいて複数のキャリアに割り当てられる総電力について上述した方法とほとんど同じようにして限定しうる。当然ながら、当業者は、電力利得係数間の比が、それらの量の大きさに関係する任意の測度を用いて限定されうることを、同様に容易に理解するであろう。
【００３３】
マルチキャリア上りリンク信号２０の各キャリアに割り当てられる電力を量子化ポリシーＱpcyが量子化する方法によらず、量子化ポリシーＱpcy及び所定の電力ヘッドルーム閾値ＰＨthの少なくとも何れかは、それぞれ、移動端末１０において予め設定されうるか、基地局３０によって移動局１０に伝達されうる。
【００３４】
一実施形態において、例えば、移動端末１０がヘッドルームを制限されているか否かを判定するために、比較回路１７によって使用される所定の電力ヘッドルーム閾値ＰＨthは、移動端末１０において予め設定されたままとなっている。この場合、移動端末１０は、１つのＰＨthをメモリに格納しうるか、あるいは、複数のＰＨthをメモリに格納し、かつ、何れのＰＨthを、移動端末１０がヘッドルームを制限されているか否かを判定するために使用するかを、基地局３０からの電力ヘッドルームの指標なしで自動的に決定しうる。いずれにしても、ＰＨthは、例えば特定の移動端末１０の電力性能に基づいて、予め設定されうる。移動端末１０においてＰＨthを予め設定すると、移動端末１０と基地局３０との間のエアインタフェースに、さらなる制御シグナリングによって負荷を与えることが回避されるが、基地局３０がＰＨthを移動端末１０に動的に伝達する場合にもたらされうる柔軟性には欠ける。
【００３５】
従って、別の実施形態において、基地局３０は、ＰＨthの指標を移動端末１０に送信する。この指標は、移動端末１０が使用すべき実際のＰＨthであってもよいし、又は、それらの何らかの間接的な識別子であってもよい。そのような実施形態の例を図１に示している。
【００３６】
図１において、基地局３０は、受信機フロントエンド３１と、１つ以上の処理回路３２と、送信機フロントエンド３３と、１つ以上のアンテナ３４とを含む。基地局３０の受信機フロントエンド３１は、１つ以上のアンテナ３４を介してマルチキャリア上りリンク信号２０を受信して、当該マルチキャリア上りリンク信号２０を、１つ以上の処理回路３２に提供する。送信機フロントエンド３３は、ＰＨthの指標を、１つ以上のアンテナ３４を介して下りリンク信号４０によって送信することによって、当該指標を移動端末１０に送信する。移動端末１０の受信機フロントエンド１３は、この指標を受信して、それを、移動端末１０の１つ以上の処理回路１１に提供し、最終的には比較回路１７に提供する。
【００３７】
より具体的には、基地局３０によって送信される下りリンク信号４０は、移動端末１０に対する個別のチャネルを介して、又は複数の移動端末に対してブロードキャストされるチャネルを介して、ＰＨthの指標を移動端末１０へ搬送しうる。個別チャネルを介して送信される場合には、基地局３０は、例えば特定の移動端末の電力性能及び無線環境に基づいて、各移動端末に固有のＰＨthの指標を提供しうる。あるいは、ブロードキャストチャネルを介して送信される場合には、基地局３０は、当該基地局３０によってサービングされる全ての移動端末に対して、ＰＨthの同一の指標を伝達しうるか、又は、例えば特定の電力性能を有する複数の移動端末から成る各グループに対して、異なる指標を伝達しうる。当然ながら、マルチキャリア上りリンク信号２０を送信可能な、現在サービングされている移動端末の密度が、低い場合又はある閾値を下回る場合には、基地局３０は、シグナリングのオーバヘッドを低減するために、個別チャネルを介した指標の送信に動的に切り替えうる。
【００３８】
同様に、一実施形態における量子化ポリシーＱpcyは、移動端末１０において予め設定されているＰＨthに加えて、又はその代わりに、移動端末１０において予め設定される。移動端末１０は、１つのＱpcyをメモリに格納しうるか、あるいは、複数のＱpcyをメモリに格納し、かつ、何れのＱpcyを、各キャリアに割り当てられる電力を量子化するために使用するかを、基地局３０からの量子化ポリシーの指標なしで自動的に決定しうる。いずれにしても、Ｑpcyは、例えば特定の移動端末１０の電力性能に基づいて、予め設定されうる。移動端末１０においてＱpcyを予め設定すると、移動端末１０と基地局３０との間のエアインタフェースに、さらなる制御シグナリングによって負荷を与えることが回避されるが、基地局３０がＱpcyを移動端末１０に動的に伝達する場合にもたらされうる柔軟性には欠ける。
【００３９】
そのような柔軟性をもたらすために、他の実施形態における基地局３０は、Ｑpcyの指標を移動端末１０に送信する。この指標は、移動端末が電力割当てを量子化するために使用する実際のＱpcyであってもよいし、又は、それらの何らかの間接的な識別子であってもよい（例えば、移動端末１０は、インデックス化された複数のＱpcyをメモリに格納し、それにより、基地局は、特定のインデックスを移動端末１０に送信する。）。そのような実施形態の一例も図１に示している。
【００４０】
図１において、基地局３０の送信機フロントエンド３３は、Ｑpcyの指標を、ＰＨthについて上述したのと同様の方法で、即ち、当該指標を下りリンク信号４０によって送信することによって、移動端末１０に送信する。同様に、下りリンク信号４０は、移動端末１０に対する個別のチャネルを介して、又は複数の移動端末に対してブロードキャストされるチャネルを介して、Ｑpcyの指標を移動端末１０へ搬送しうる。個別チャネルを介して送信される場合には、基地局３０は、例えば特定の移動端末の電力性能及び無線環境に基づいて、各移動端末に固有のＱpcyの指標を提供しうる。あるいは、ブロードキャストチャネルを介して送信される場合には、基地局３０は、当該基地局３０によってサービングされる全ての移動端末に対して、Ｑpcyの同一の指標を伝達しうるか、又は、例えば特定の電力性能を有するか、特定の無線環境下にあるか、若しくはその両方である、複数の移動端末から成る各グループに対して、異なる指標を伝達しうる。当然ながら、マルチキャリア上りリンク信号２０を送信可能な、現在サービングされている移動端末の密度が、低い場合又はある閾値を下回る場合には、基地局３０は、シグナリングのオーバヘッドを低減するために、個別チャネルを介した指標の送信に動的に切り替えうる。
【００４１】
基地局３０がＱpcyの指標を移動端末１０に送信する実施形態のような、一実施形態において、異なる複数の基地局は、例えば各基地局における無線環境に依存して、異なるＱpcyを設定されうる。従って、移動端末１０が異なる複数の基地局間で移動する際の、一貫性のない挙動を軽減するために、移動端末１０は、デフォルトのＱpcyを予め設定されうるか、又はデフォルトのＱpcyの指標が送られうる。例えば、移動端末１０は、一実施形態において、デフォルトのＱpcyを、移動端末１０が基地局間のソフトハンドオーバを行っている際に使用するＱpcyとして特定する。これにより、そうでなければ、移動端末１０がソフトハンドオフの間に、ソース基地局から１つのＱpcyの指標を受信するとともにターゲット基地局から異なるＱpcyの指標を受信すると生じるであろう不明瞭性が回避される。別の実施形態においては、移動端末１０は、同様に、例えば、基地局間のハードハンドオフの間、又はサービング無線ネットワーク制御装置（ＳＲＮＣ）のリロケーションの間に何れのＱpcyを使用するかについての何らの指標も受信できない場合に、デフォルトのＱpcyを使用する。従って、上述の変形及び変更に鑑みて、移動端末１０は、概して、複数のＱpcyのうちの１つを、移動端末１０が基地局間でハンドオフ（ハード又はソフトによらず）を行っているかどうかに基づいて、使用するＱpcyとして特定する。
【００４２】
これまでに説明したように、移動端末１０がヘッドルームを制限されている場合に、移動端末１０は、しかしながら得られている、Ｑpcyに従って、マルチキャリア上りリンク信号２０の各キャリアに割り当てられる電力を量子化する。このようにして量子化された、各キャリアに割り当てられる電力によって、各キャリアについての設定の数を低減可能である。低減された数の設定によって、所要バックオフを決定するためのメモリ要求条件及び計算複雑度の少なくとも何れかが軽減されるものの、現在のチャネル状況に適した最良の設定を選択することによって達成可能なデータレートを最大化する、移動端末１０の性能を、いくらか劣化もさせる。
【００４３】
従って、移動端末１０の電力割当回路１９は、一実施形態において、複数のキャリアのチャネル状況に関連付けられた１つ以上の所定の優先基準に基づいて、電力Ｐ1...ＰNを各キャリアに割り当てる。これらの優先基準に基づいて電力を割り当てることによって、電力割当回路１９は、より有利なチャネル状況を有するキャリアに対して、より大きな電力Ｐ1...ＰNを割り当てる。
【００４４】
電力割当回路１９は、複数のキャリアに対する電力割当てに優先順位をつけるための任意のタイプの基準を、当該基準が当該キャリアのチャネル状況を示す限り、利用しうる。一実施形態において、所定の優先基準は、ＨＳＵＰＡにおけるＤＰＣＣＨの電力のような、キャリアの、電力制御される１つ以上の制御チャネルの電力を含む。最小のＤＰＣＣＨ電力を有するキャリアに最初に電力を割り当てることによって、例えば、電力割当回路１９は、より有利なパスロス及び干渉状況にあるキャリアに対して、より大きな電力を割り当てる。他の実施形態においては、所定の優先基準は、各キャリアのサービンググラント、各キャリアのサービンググラントごとの制御チャネルの電力等を含みうる。
【００４５】
いずれにしても、所定の優先基準は、移動端末１０において予め設定されうるか、又は、基地局３０によって移動端末１０に対して伝達されうる。優先基準が移動端末１０において予め設定される実施形態においては、移動端末１０は、ただ１つの基準をメモリに格納しうるか、又は、複数の基準をメモリに格納し、かつ、何れの基準を使用するかを、基地局３０からの当該基準の指標なしで自動的に決定しうる。この決定は、特定の優先基準が特定のＱpcyのために使用されるように、例えば、各キャリアに割り当てられる電力を量子化するために移動端末１０によって使用されているＱpcyに基づきうる。他の例と同様、移動端末１０において優先基準を予め設定すると、移動端末１０と基地局３０との間のエアインタフェースに、さらなる制御シグナリングによって負荷を与えることが回避されるが、基地局３０が当該基準を移動端末１０に動的に伝達する場合にもたらされうる柔軟性には欠ける。
【００４６】
従って、他の実施形態において、基地局３０は、所定の優先基準の指標を移動端末１０に送信する。この指標は、移動端末１０が使用すべき実際の基準であってもよいし、又は、それらの何らかの間接的な識別子であってもよい。さらに、基地局３０は、この指標を、基地局３０によってサービングされる全ての移動端末が同一のＱpcyを使用するか否かにかかわらず、それらの移動局が同一の優先基準を使用してキャリアに電力を割り当てるように、ブロードキャストチャネルを介して移動端末１０に送信してもよい。あるいは、基地局３０は、当該基地局３０によってサービングされ、かつ、特定のＱpcyを使用する全ての移動端末が、同一の優先基準を使用してキャリアに電力を割り当てるように、ブロードキャストを介して、又は個別チャネルを介して、当該指標を移動端末１０に送信してもよい。この場合、当該優先基準は、（例えば、移動端末１０において格納されているＱpcyについての特定のインデックスに関連付けられた）Ｑpcyの指標とともに伝達されてもよい。
【００４７】
いずれにしても、基地局３０は、無線リンク制御メッセージに含まれる情報エレメント（ＩＥ：information element）によって、優先基準の指標を移動端末１０に送信しうる。このＩＥが存在する場合、当然ながら、移動端末１０は、伝達された優先基準に従って電力を割り当てる。しかし、ＩＥが存在しない場合、移動端末１０は、デフォルトの優先基準に従って電力を割り当てるうか、又は、何らの優先基準に関係なく電力を割り当てうる。
【００４８】
基地局３０及び移動端末１０の変形及び実装についての上記のポイントを考慮に入れることで、当業者は、本発明の基地局３０及び移動端末１０が、全体として、図４及び図５に示す方法をそれぞれ実行することを理解するであろう。図４によれば、基地局３０は、所定の量子化ポリシーＱpcyの指標を、移動端末１０に送信する（ブロック１００）。基地局３０は、さらに、所定の電力ヘッドルーム閾値ＰＨth及び所定の優先基準の少なくとも何れかの指標を、移動端末１０に送信してもよい。
【００４９】
図５によれば、移動端末１０は、移動端末１０の電力ヘッドルームが、（上述のように、基地局３０から送信されうるか、又は送信されえない）所定の電力ヘッドルーム閾値ＰＨthを下回るか否かを判定する（ブロック２００）。下回る場合、移動端末１０は、マルチキャリア上りリンク信号２０の各キャリアに割り当てられる電力を、（上述のように、基地局３０から送信されうるか、又は送信されえない）所定の量子化ポリシーＱpcyに従って量子化する（ブロック２１０）。
【００５０】
当然ながら、上述の説明及び添付の図面の全ては、本明細書において教示の方法及び個々の装置についての非限定的な例を示している。そのため、本発明は、上述の説明及び添付の図面によって限定されることはない。その代わりに、本発明は、以下の特許請求の範囲及びその法的な均等物によってのみ限定される。
【図１】
2012521150.tif 000003
【図２Ａ】
2012521150.tif 000004
【図２Ｂ】
2012521150.tif 000005
【図２Ｃ】
2012521150.tif 000006
【図３】
2012521150.tif 000007
【図４】
2012521150.tif 000008
【図５】
2012521150.tif 000009
【手続補正書】
【提出日】平成23年10月25日(2011.10.25)
【手続補正１】
【補正対象書類名】特許請求の範囲
【補正対象項目名】全文
【補正方法】変更
【補正の内容】
【特許請求の範囲】
【請求項１】
個別の周波数領域を占有する、別々に変調された２つ以上のキャリアの集合であるマルチキャリア上りリンク信号を、基地局に送信する移動端末における方法であって、
前記移動端末の電力ヘッドルームが所定の電力ヘッドルーム閾値を下回ることで、当該移動端末がヘッドルームを制限されていることを示すか否かを判定するステップと、
前記移動端末がヘッドルームを制限されている場合に、前記マルチキャリア上りリンク信号に含まれる各キャリアに割り当てられる電力を、所定の量子化ポリシーに従って量子化するステップと
を含むことを特徴とする方法。
【請求項２】
前記移動端末がヘッドルームを制限されている場合に、各キャリアに割り当てられる前記量子化された電力に基づいて、各キャリアについての設定を選択するステップをさらに含むことを特徴とする請求項１に記載の方法。
【請求項３】
前記所定の電力ヘッドルーム閾値と前記所定の量子化ポリシーとのうちの少なくとも１つについての指標を、ブロードキャストチャネルを介して前記基地局から受信するステップをさらに含むことを特徴とする請求項１又は２に記載の方法。
【請求項４】
前記所定の電力ヘッドルーム閾値と前記所定の量子化ポリシーとのうちの少なくとも１つについての指標を、個別チャネルを介して前記基地局から受信するステップをさらに含むことを特徴とする請求項１又は２に記載の方法。
【請求項５】
前記移動端末が複数の基地局間におけるハンドオフを行っているか否かに基づいて、複数の量子化ポリシーのうちの１つを、前記所定の量子化ポリシーとして特定するステップをさらに含むことを特徴とする請求項１乃至４の何れか１項に記載の方法。
【請求項６】
前記２つ以上のキャリアのチャネル状況に関連付けられた、１つ以上の所定の優先基準に基づいて、各キャリアに対して電力を割り当てるステップをさらに含むことを特徴とする請求項１乃至５の何れか１項に記載の方法。
【請求項７】
前記基地局から受信される無線リンク制御メッセージに含まれる情報エレメントを介して、前記所定の優先基準についての指標を受信するステップをさらに含むことを特徴とする請求項６に記載の方法。
【請求項８】
前記マルチキャリア上りリンク信号に含まれる各キャリアに割り当てられる電力を、所定の量子化ポリシーに従って量子化する前記ステップは、
異なる複数のキャリアに割り当てられる電力の差分を限定するステップを含むことを特徴とする請求項１乃至７の何れか１項に記載の方法。
【請求項９】
異なる複数のキャリアに割り当てられる電力の差分を限定する前記ステップは、
最大の電力が割り当てられるキャリアについて、当該キャリアに割り当てられる電力と、別のキャリアに割り当てられる電力との差分が、許容される最大の差分を上回る場合に、当該キャリアに割り当てられる電力を低減するステップを含むことを特徴とする請求項８に記載の方法。
【請求項１０】
前記最大の電力が割り当てられるキャリアに割り当てる当該電力を低減する前記ステップは、
前記最大の電力が割り当てられるキャリアの制御チャネルに割り当てられる電力を、当該キャリアのトラヒックチャネルについて許容される電力利得係数が所定の許可閾値を下回る場合に低減するステップを含むことを特徴とする請求項９に記載の方法。
【請求項１１】
前記マルチキャリア上りリンク信号に含まれる各キャリアに割り当てられる電力を、所定の量子化ポリシーに従って量子化する前記ステップは、
各キャリアの１つ以上のチャネルについて許容される電力利得係数を、前記所定の量子化ポリシーに従って量子化するステップを含むことを特徴とする請求項１乃至７の何れか１項に記載の方法。
【請求項１２】
前記マルチキャリア上りリンク信号に含まれる各キャリアに割り当てられる電力を、所定の量子化ポリシーに従って量子化する前記ステップは、
異なる複数のキャリアの１つ以上のチャネルについて許容される複数の電力利得係数間の比を限定するステップを含むことを特徴とする請求項１乃至７及び１１の何れか１項に記載の方法。
【請求項１３】
個別の周波数領域を占有する、別々に変調された２つ以上のキャリアの集合であるマルチキャリア上りリンク信号を、基地局に送信する１つ以上のアンテナと、１つ以上の処理回路とを備える移動端末であって、
前記１つ以上の処理回路は、
前記移動端末の電力ヘッドルームが所定の電力ヘッドルーム閾値を下回ることで、当該移動端末がヘッドルームを制限されていることを示すか否かを判定し、
前記移動端末がヘッドルームを制限されている場合に、前記マルチキャリア上りリンク信号に含まれる各キャリアに割り当てられる電力を、所定の量子化ポリシーに従って量子化する
ことを特徴とする移動端末。
【請求項１４】
前記１つ以上の処理回路は、さらに、
前記移動端末がヘッドルームを制限されている場合に、各キャリアに割り当てられる前記量子化された電力に基づいて、各キャリアについての設定を選択することを特徴とする請求項１３に記載の移動端末。
【請求項１５】
前記１つ以上の処理回路は、さらに、
前記所定の電力ヘッドルーム閾値と前記所定の量子化ポリシーとのうちの少なくとも１つについての指標を、ブロードキャストチャネルを介して前記基地局から受信することを特徴とする請求項１３又は１４に記載の移動端末。
【請求項１６】
前記１つ以上の処理回路は、さらに、
前記所定の電力ヘッドルーム閾値と前記所定の量子化ポリシーとのうちの少なくとも１つについての指標を、個別チャネルを介して前記基地局から受信することを特徴とする請求項１３又は１４に記載の移動端末。
【請求項１７】
前記１つ以上の処理回路は、さらに、
前記移動端末が複数の基地局間におけるハンドオフを行っているか否かに基づいて、複数の量子化ポリシーのうちの１つを、前記所定の量子化ポリシーとして特定することを特徴とする請求項１３乃至１６の何れか１項に記載の移動端末。
【請求項１８】
前記１つ以上の処理回路は、さらに、
前記２つ以上のキャリアのチャネル状況に関連付けられた、１つ以上の所定の優先基準に基づいて、各キャリアに対して電力を割り当てることを特徴とする請求項１３乃至１７の何れか１項に記載の移動端末。
【請求項１９】
前記１つ以上の処理回路は、さらに、
前記基地局から受信される無線リンク制御メッセージに含まれる情報エレメントを介して、前記所定の優先基準についての指標を受信することを特徴とする請求項１８に記載の移動端末。
【請求項２０】
個別の周波数領域を占有する、別々に変調された２つ以上のキャリアの集合であるマルチキャリア上りリンク信号を、移動端末から受信する基地局における方法であって、
前記マルチキャリア上りリンク信号に含まれる各キャリアに割り当てられる電力を量子化するための所定の量子化ポリシーを、前記移動端末に伝達するステップ
を含むことを特徴とする方法。
【請求項２１】
前記移動端末の電力ヘッドルームが所定の電力ヘッドルーム閾値を下回る場合に、前記マルチキャリア上りリンク信号に含まれる各キャリアに割り当てられる電力を前記所定の量子化ポリシーに従って量子化するための、前記所定の電力ヘッドルーム閾値を、前記移動端末に伝達するステップをさらに含むことを特徴とする請求項２０に記載の方法。
【請求項２２】
前記２つ以上のキャリアのチャネル状況に関連付けられた１つ以上の所定の優先基準に基づいて各キャリアに対して電力を割り当てるための、当該１つ以上の所定の優先基準を、前記移動端末に伝達するステップをさらに含むことを特徴とする請求項２０又は２１に記載の方法。
【請求項２３】
個別の周波数領域を占有する、別々に変調された２つ以上のキャリアの集合であるマルチキャリア上りリンク信号を、移動端末から受信する１つ以上のアンテナと、１つ以上の処理回路とを備える基地局であって、
前記１つ以上の処理回路は、
前記マルチキャリア上りリンク信号に含まれる各キャリアに割り当てられる電力を量子化するための所定の量子化ポリシーを、前記移動端末に伝達することを特徴とする基地局。
【請求項２４】
前記１つ以上の処理回路は、さらに、
前記移動端末の電力ヘッドルームが所定の電力ヘッドルーム閾値を下回る場合に、前記マルチキャリア上りリンク信号に含まれる各キャリアに割り当てられる電力を前記所定の量子化ポリシーに従って量子化するための、前記所定の電力ヘッドルーム閾値を、前記移動端末に伝達することを特徴とする請求項２３に記載の基地局。
【請求項２５】
前記１つ以上の処理回路は、さらに、
前記２つ以上のキャリアのチャネル状況に関連付けられた１つ以上の所定の優先基準に基づいて各キャリアに対して電力を割り当てるための、当該１つ以上の所定の優先基準を、前記移動端末に伝達することを特徴とする請求項２３又は２４に記載の基地局。
【国際調査報告】
2012521150.tif 000010
2012521150.tif 000011
2012521150.tif 000012